(57)【特許請求の範囲】
【請求項１】
スキャン式レーダの信号処理方法であって、ターゲットから反射されたレーダ信号に基づいて生成されたピークのうちピーク周波数がほぼ同じで受信レベルが所定値以上のピークを選択し、該選択されたピーク数が２の場合最大ピークから車間距離に応じて決定される所定の角度範囲にあるピークの角度を求め、該ピークの角度と前記最大ピークの角度との間の中心の角度を求め、得られた該中心の角度をターゲットの角度とする、スキャン式レーダの信号処理方法。
【請求項２】
前記最大ピークと最大ピークから所定の角度にあるピークとの受信レベルの差が所定値以下の場合のみ、前記中心の角度をターゲットの角度とする、請求項１に記載のスキャン式レーダの信号処理方法。
【請求項３】
前記最大ピークと最大ピークから所定の角度にあるピークとの受信レベルの差が所定値より大きい場合、前記最大ピークの角度をターゲットの角度とする、請求項１に記載のスキャン式レーダの信号処理方法。
【請求項４】
スキャン式レーダの信号処理方法であって、ターゲットから反射されたレーダ信号に基づいて生成されたピークのうちピーク周波数がほぼ同じで受信レベルが所定値以上のピークを選択し、該選択されたピークの数が３以上の場合、最大ピークから車間距離に応じて決定される所定の角度範囲にある最も左側と最も右側のピークの角度からこれらの中心の角度を求め、得られた中心の角度をターゲットの角度とする、スキャン式レーダの信号処理方法。
【請求項５】
前記３以上のピークのうち最大ピークとそれ以外のピークとの受信レベルの差が所定値以下の場合のみ、前記中心の角度をターゲットの角度とする、請求項４に記載のスキャン式レーダの信号処理方法。
【請求項６】
前記３以上のピークのうち最大ピークとそれ以外のピークとの受信レベルの差が所定値より大きい場合、前記最大ピークの角度をターゲットの角度とする、請求項４に記載のスキャン式レーダの信号処理方法。
【請求項７】
前記３以上のピークのうち、最大ピークとそれ以外のピークのうちの複数のピークとの受信レベルの差が所定値以下の場合、前記最大ピークと前記複数のピークのうち、最も左側と最も右側のピークの角度からこれらの中心の角度を求め、得られた中心の角度をターゲットの角度とする、請求項４に記載のスキャン式レーダの信号処理方法。
【請求項８】
スキャン式ＦＭ−ＣＷレーダの信号処理方法であって、ターゲットから反射されたレーダ信号に基づいて生成されたピークのうちピーク周波数がほぼ同じである複数のピークを選択し、該複数のピークについてペアリングを行い、ターゲットの各反射点からの距離、相対速度、及びズレの長さを検出し、検出された各反射点からの距離、相対速度、及びズレの長さの差がいずれも所定値以下である場合、前記複数のピークは同一ターゲットのピークであると判定し、前記ズレの長さが所定値より大きい場合、前記同一ターゲットと判定されたターゲットは隣接レーンを走行していると判定する、スキャン式ＦＭ−ＣＷレーダの信号処理方法。
【請求項９】
前記複数のピークのうち、前記距離が最も近い反射点からのピークの角度をターゲットの角度とする、請求項８に記載のスキャン式ＦＭ−ＣＷレーダの信号処理方法。
【請求項１０】
前記同一ターゲットは大型車両であると判定する、請求項８に記載のスキャン式ＦＭ−ＣＷレーダの信号処理方法。
【請求項１１】
前記ズレの長さが所定値より大きい場合、前記ターゲットは隣接レーンを走行していると判定する、請求項８に記載のスキャン式ＦＭ−ＣＷレーダの信号処理方法。
【請求項１２】
カーブを走行中に前記ターゲットが隣接レーンを走行していると判定した場合、前記ターゲットとの車間距離に応じて決定される補正角度で、該ターゲットの位置がレーンの中心に来るように補正する、請求項８に記載のスキャン式ＦＭ−ＣＷレーダの信号処理方法。
【請求項１３】
スキャン式ＦＭ−ＣＷレーダの信号処理方法であって、ターゲットから反射されたレーダ信号に基づいて生成されたピークのうち、レーダ信号の上昇区間と下降区間において受信レベルが最大のピーク信号をそれぞれ取り出してペアリングし、該最大信号の周波数及び角度を含む所定の幅の周波数及び角度により規定される範囲Ｒ１と、該範囲Ｒ１より広い範囲Ｒ２を規定し、ほぼ同じ角度を持ったピークをそれぞれ前記上昇区間と下降区間の範囲Ｒ１及びＲ２から検索し、該範囲Ｒ１から検索した場合ピークの周波数の差が所定の範囲内であった場合にペアリングを行い、前記範囲Ｒ２から検索した場合ピークの周波数の差が前記所定の範囲より小さい所定の範囲内である場合にペアリングを行う、スキャン式ＦＭ−ＣＷレーダの信号処理方法。
【請求項１４】
スキャン式ＦＭ−ＣＷレーダの信号処理方法であって、ターゲットから反射されたレーダ信号に基づいて生成されたピークのうちレーダ信号の上昇区間と下降区間において受信レベルが最大のピーク信号を取り出してペアリングし、ペアリングして得たターゲットが連続ターゲットかどうか判断し、連続ターゲットでなければ今回検出されたターゲットの反射パワーが既存のターゲットの反射パワーより大きいかどうかを判定し、今回検出されたターゲットの反射パワーが既存のターゲットの反射パワーより大きい場合、今回のターゲットのデータを既存のターゲットのデータとしてデータの更新を行う、スキャン式ＦＭ−ＣＷレーダの信号処理方法。
【請求項１５】
前記今回検出されたターゲットの反射パワーが既存のターゲットの反射パワーより大きくない場合、該今回検出されたターゲットのデータを別途設けたメモリに仮保存する、請求項１４に記載のスキャン式ＦＭ−ＣＷレーダの信号処理方法。
【発明の詳細な説明】
【０００１】
【発明の属する技術分野】
本発明は、スキャン式レーダにおいて、例えばトラック等の大型車両がターゲットであった場合に複数の箇所から反射してくる反射信号を処理する
方法に関する。
【０００２】
【従来の技術】
車間距離制御においては、自車両の前方にレーダビームを発射し、先行車両等の物体を検出する車載用レーダ装置が用いられている。レーダ装置としてはミリ波等の電波を用いるＦＭ−ＣＷレーダ、あるいはレーザ光を用いるものがある。これらレーダ装置を用いて先行車両までの距離、先行車両との相対速度、先行車両の正確な位置を検出し、車間距離制御を行っている。そして、先行車両の位置を正確に検出するためには、先行車両のほぼ中心の位置を検出することが重要である。
【０００３】
【発明が解決しようとする課題】
しかし、ターゲットである先行車両が、例えばトラック等の大型車両の場合、発射された複数のビームから反射された信号の受信レベルを見ると、ピークが複数現れることがある。このような時どのピークがターゲットの中心を表しているのか特定するのが困難な場合がある。
【０００４】
また、同様にターゲットが大型車両の場合、同一のターゲットであるが距離が異なる複数の箇所からビームが反射され、別々のターゲットであると誤認する恐れがある。さらに、大型車両が隣接レーンを走行している場合、車両前方のミラー付近から反射するビームの角度は自車線寄りとなるため、自車レーンの先行車両と誤認することがある。
【０００５】
また、ターゲットが大型車両の場合、同一のターゲットであるが距離が異なる複数の箇所からビームが反射されることが多い。このような場合、これら複数の箇所から得られた距離、相対速度、角度を用いて、この車両の代表値、即ち、この車両までの距離、相対速度、車両の幅、横位置等を求める必要がある。
【０００６】
さらに、同一のターゲットであるが距離が異なる複数の箇所からビームが反射された場合、これら異なった箇所までの距離や相対速度を検出するためには、それぞれの箇所からの反射信号の上昇区間と下降区間のピーク周波数のペアリングを行わなければならない。
【０００７】
従って、本発明の目的は、大型車両の場合であってもターゲットの中心を正確に特定できるようにすることである。
【０００８】
また、大型車両のように複数の箇所からビームが反射されるようなターゲットであっても、それが同一のターゲットからの反射であるかどうか判定できるようにすることである。また、前方隣接レーンを走行している車両を自車レーンの車両と誤認しないようにすることである。
【０００９】
また、同一のターゲットの複数の箇所からビームが反射された場合、ターゲットまでの距離，相対速度、幅、横位置の代表値を正確に求めることができるようにすることである。
【００１０】
さらに、同一ターゲットの複数の箇所から反射されたビームによるピーク信号を効率よくペアリングすることである。また、ペアリングして得られたターゲットのデータを有効に処理することである。
【００１１】
【課題を解決するための手段】
上記課題を解決するため、本発明スキャン式レーダの信号処理方法によれば、ターゲットから反射されたレーダ信号に基づいて生成されたピークのうちピーク周波数がほぼ同じで受信レベルが所定値以上のピークを選択し、該選択されたピーク数が２の場合最大ピークから車間距離に応じて決定される所定の角度範囲にあるピークの角度を求め、該ピークの角度と前記最大ピークの角度との間の中心の角度を求め、得られた該中心の角度をターゲットの角度とする。その場合、最大ピークと最大ピークから所定の角度にあるピークとの受信レベルの差が所定値以下の場合のみ前記中心の角度をターゲットの角度とし、そうでない場合は最大ピークの角度をターゲットの角度とする。
【００１２】
また、ピークの数が３以上の場合、最大ピークから車間距離に応じて決定される所定の角度範囲にある最も左側と最も右側のピークの角度からこれらの中心の角度を求め、得られた中心の角度をターゲットの角度とする。その場合、３以上のピークのうち最大ピークとそれ以外のピークとの受信レベルの差が所定値以下の場合のみ、前記中心の角度をターゲットの角度とし、そうでない場合は最大ピークの角度をターゲットの角度とする。また、最大ピークとそれ以外のピークのうちの複数のピークとの受信レベルの差が所定値以下の場合、最大ピークと前記複数のピークのうち、最も左側と最も右側のピークの角度からこれらの中心の角度を求め、得られた中心の角度をターゲットの角度とする。
【００１３】
また、本発明スキャン式ＦＭ−ＣＷレーダの信号処理方法によれば、ターゲットから反射されたレーダ信号に基づいて生成されたピークのうちピーク周波数がほぼ同じである複数のピークを選択し、該複数のピークについてペアリングを行い、ターゲットの各反射点からの距離、相対速度、及びズレの長さを検出し、検出された各反射点からの距離、相対速度、及びズレの長さの差がいずれも所定値以下である場合、前記複数のピークは同一ターゲットのピークであると判定し、前記ズレの長さが所定値より大きい場合、前記同一ターゲットと判定されたターゲットは隣接レーンを走行していると判定する。また、カーブを走行中に前記ターゲットが隣接レーンを走行していると判定した場合、前記ターゲットとの車間距離に応じて決定される補正角度で、該ターゲットの位置がレーンの中心に来るように補正する。
【００１４】
また、本発明スキャン式ＦＭ−ＣＷレーダの信号処理方法によれば、複数のピークが同一のターゲットから反射されたレーダ信号に基づいて生成されたものと判定された場合、該複数のピークから得られたターゲットまでの距離の中で、最小の距離をターゲットまでの距離の代表値として採用する。
【００１５】
また、ターゲットとの相対速度を複数のピークのそれぞれから求め、該求めた複数の相対速度の平均値を相対速度の代表値とする。
【００１６】
また、両端に現れたピークからターゲットの幅を求め、これをターゲットの幅の代表値とする。そして、前記代表値とされた幅の中間点をターゲットの横位置の代表値とする。
【００１７】
また、複数のピークが同一のターゲットから反射されたレーダ信号に基づいて生成されたものと判定された場合、最も近い反射箇所及び該箇所から反射されたレーダ信号によるピークのみを選択し、該選択されたピークのうち両端に現れたピークからターゲットの幅を求め、これをターゲットの幅の代表値とする。
【００１８】
さらに、本発明スキャン式ＦＭ−ＣＷレーダの信号処理方法によれば、ターゲットから反射されたレーダ信号に基づいて生成されたピークのうちレーダ信号の上昇区間と下降区間において受信レベルが最大のピーク信号を取り出してペアリングし、続いて該受信レベルが最大のピーク信号から角度及び周波数の差がほぼ同じ位置にあるピーク信号を前記上昇区間と下降区間から取り出してペアリングを行う。
【００１９】
また、最大信号の周波数及び角度を含む所定の幅の周波数及び角度により規定される範囲Ｒ１と、該範囲Ｒ１より広い範囲Ｒ２を規定し、ほぼ同じ角度を持ったピークをそれぞれ上昇区間と下降区間の範囲Ｒ１及びＲ２から検索し、範囲Ｒ１から検索した場合ピーク周波数の差が所定の範囲内であった場合にペアリングを行い、範囲Ｒ２から検索した場合ピーク周波数の差が前記所定の範囲より小さい所定の範囲内である場合にペアリングを行う。
【００２０】
さらに、本発明スキャン式ＦＭ−ＣＷレーダの信号処理方法によれば、ペアリングして得たターゲットが連続ターゲットかどうか判断し、連続ターゲットでなければデータ更新を行なわない。
【００２１】
また、ペアリングして得たターゲットが連続ターゲットでなければ、該ターゲットのデータを別途設けたメモリに仮保存する。
【００２２】
また、ペアリングして得たターゲットが連続ターゲットでなければ、今回検出されたターゲットの反射パワーが既存のターゲットの反射パワーより大きいかどうかを判定し、今回検出されたターゲットの反射パワーが既存のターゲットの反射パワーより大きい場合、今回のターゲットのデータを既存のターゲットのデータとしてデータの更新を行う。
【００２３】
【発明の実施の形態】
図１は、本発明方法が用いられるスキャン式レーダを用いた車間距離制御装置の構成の概要を示した図である。レーダセンサ部はＦＭ−ＣＷレーダであり、レーダアンテナ１、走査機構２、及び信号処理回路３を備えている。車間距離制御ＥＣＵ７は、ステアリングセンサ４、ヨーレートセンサ５、車速センサ６、及びレーダセンサ部の信号処理回路３からの信号を受け、警報機８、ブレーキ９、スロットル１０等を制御する。また、車間距離制御ＥＣＵ７は、レーダセンサ部の信号処理回路３にも信号を送る。
【００２４】
図２は、図１の信号処理回路３の構成を示したものである。信号処理回路３は、走査角制御部１１、レーダ信号処理部１２、制御対象認識部１３を備えている。レーダ信号処理部１２はレーダアンテナ１からの反射信号をＦＦＴ処理し、パワースペクトルを検出し、ターゲットとの距離及び相対速度を算出し、制御対象認識部１３にそのデータを送信する。制御対象認識部１３は、レーダ信号処理部１２から受信したターゲットとの距離、相対速度、及び車間距離制御ＥＣＵ７から受信したステアリングセンサ４、ヨーレートセンサ５、車速センサ６等から得られた車両情報に基づいて走査角制御部１１に走査角を指示すると共に、制御対象となるターゲットを判別して車間距離制御ＥＣＵに送信する。走査角制御部１１は、固定型レーダの場合はカーブ走行時の走査角等を制御し、スキャン型レーダの場合はスキャン走査角を制御するものである。走査機構２は走査制御部１１からの制御信号を受けて所定の角度で順次ビームを発射してスキャンを行う。
【００２５】
ＦＭ−ＣＷレーダは、例えば三角波形状の周波数変調された連続の送信波を出力してターゲットである前方の車両との距離を求めている。即ち、レーダからの送信波が前方の車両で反射され、反射波の受信信号と送信信号をミキシングして得られるビート信号（レーダ信号）を得る。このビート信号を高速フーリエ変換して周波数分析を行う。周波数分析されたビート信号はターゲットに対してパワーが大きくなるピークが生じるが、このピークに対する周波数をピーク周波数と呼ぶ。ピーク周波数は距離に関する情報を有し、前方車両との相対速度によるドップラ効果のために、前記三角波形状のＦＭ−ＣＷ波の上昇時と下降時とではこのピーク周波数は異なる。そして、この上昇時と下降時のピーク周波数から前方の車両との距離及び相対速度が得られる。また、前方の車両が複数存在する場合は各車両に対して一対の上昇時と下降時のピーク周波数が生じる。この上昇時と下降時の一対のピーク周波数を形成することをペアリングという。
【００２６】
図３は、ターゲットとの相対速度が０である場合のＦＭ−ＣＷレーダの原理を説明するための図である。送信波は三角波で図３の（ａ）の実線に示す様に周波数が変化する。送信波の送信中心周波数ｆo 、ＦＭ変調幅はΔｆ、繰り返し周期はＴm である。この送信波はターゲットで反射されてアンテナで受信され、図３の（ａ）の破線で示す受信波となる。ターゲットとの間の往復時間Ｔは、ターゲットとの間の距離をｒとし、電波の伝播速度をＣとすると、Ｔ＝２ｒ／Ｃとなる。
【００２７】
この受信波はレーダとターゲット間の距離に応じて、送信信号との周波数のずれ（ビート）を起こす。
【００２８】
ビート信号の周波数成分ｆb は次の式で表すことができる。なお、ｆr は距離周波数である。
ｆb＝ｆr＝（４・Δｆ／Ｃ・Ｔｍ）ｒ
一方、図４はターゲットとの相対速度がｖである場合のＦＭ−ＣＷレーダの原理を説明するための図である。送信波は図４の（ａ）の実線に示す様に周波数が変化する。この送信波はターゲットで反射されてアンテナで受信され、図４の（ａ）の破線で示す受信波となる。この受信波はレーダとターゲット間の距離に応じて、送信信号との周波数のずれ（ビート）を起こす。この場合、ターゲットとの間に相対速度ｖを有するのでドップラーシフトとなり、ビート周波数成分ｆbは次の式で表すことができる。なお、ｆr は距離周波数、ｆd は速度周波数である。
【００２９】
ｆb＝ｆr±ｆd＝（４・Δｆ／Ｃ・Ｔｍ）ｒ±（２・ｆo／Ｃ）ｖ
図５は、ＦＭ−ＣＷレーダの構成の例を示したものである。図に示す様に、電圧制御発振器２２に変調信号発生器２１から変調信号を加えてＦＭ変調し、ＦＭ変調波を送信アンテナＡＴを介して外部に送信すると共に、送信信号の一部を分岐してミキサのような周波数変換器２３に加える。一方、先行車両等のターゲットで反射された反射信号を受信アンテナＡＲを介して受信し、周波数変換器２３で電圧制御発振器２２の出力信号とミキシングしてビート信号を生成する。このビート信号はベースバンドフィルタ２４を介してＡ／Ｄ変換器２５でＡ／Ｄ変換され、ＣＰＵ２６で高速フーリエ変換等により信号処理がされて距離および相対速度が求められる。
【００３０】
【実施例】
〔実施例１〕
図６に示すように、自車Ａに対して先行車両Ｂがトラック等の大型車両である場合、先行車両Ｂからは複数のビームが反射される。例えば、角度θａ−θｇでビームを発射すると、トラック等の大型反射ターゲットは受信レベルが大きく、かつ反射面積が大きくなるため、角度θａ−θｇで発射されたビームに基づいて生成されたピークの受信レベルは図７に示すようになる。この場合、ターゲットまでの距離はほぼ同じであるため、ピーク周波数はほぼ同じとなる。しかし、図７に示すように大型車両の受信レベルの分布はピークが２つ（Ｐc 、Ｐf ）現れることがある。通常、受信レベルがピークとなる角度をターゲットの存在する角度としている。しかし、図のようにピークが２つになると、ターゲットが２つであると誤認してしまう恐れがある。
【００３１】
そこで本発明では、ほぼ同じピーク周波数を有するピークであって、受信レベルが所定値（閾値）以上の反射信号に対して、最大ピーク（Ｐc ）から所定の角度範囲θｘにあるもう１つのピーク（Ｐf ）も１つのターゲットとみなし、ピークとピークの間の中心の角度をターゲットの角度とするものである。例えば図８に示すように、最大ピークＰｃから所定の角度範囲θｘにある閾値Ｐｔｈ以上の別のピークＰｆを含めて１つのターゲットと見なし、ピークＰｃとＰｆの中心角度θoをターゲットの角度とする。
【００３２】
しかし、ピークの受信レベルの差があまり大きいと、同じターゲットではない可能性があり、あるいは同じターゲットでも最大ピークではない別のピークはターゲットの主要部でない可能性があり、中心角度をとってもターゲットの中心部となる可能性が低くなる。そのため本発明では、最大ピークの受信レベルとの差が所定値以下、即ち、最大ピークとの受信レベルの差が小さいピークのみ１つのターゲットからの反射信号のピークとし、ピーク間の中心角度をターゲットの角度とした。図８で具体的に説明すると、最大ピークＰｃと別のピークＰｆの受信レベルの差が所定の値ΔＰ以下である場合、即ち、
Ｐｃ−Ｐｆ≦ΔＰ
の場合のみ、１つのターゲットと見なし、ピークをまとめてその中心角度をターゲットの角度とする。
【００３３】
一方、最大ピークＰc と別のピークＰf の受信レベルの差が所定値ΔＰより大きい場合は必ずしも１つのターゲットと見ることはできないので、最大ピークの角度をターゲットの角度とする。
【００３４】
次に、上記の所定の角度範囲をどのように決定するかを図９を用いて説明する。図９（ａ）において、Ａは自車であり、Ｂは先行車両である。先行車両Ｂまでの距離がｒで、先行車両の幅が２ａであった場合、先行車両の中心から左右にそれぞれａ離れた位置に対するビームの角度をθｘとすると、次の式が成り立つ。
【００３５】
ｔａｎθｘ＝ａ／ｒ
従って、
θｘ＝ｔａｎ-1ａ／ｒ
となり、車間距離に応じて角度範囲が変化する。これをグラフにすると（ｂ）のようになる。
【００３６】
以上はピークが２つの場合を述べたが、ピーク周波数がほぼ同じで受信レベルが所定値以上のピークが３つ以上ある場合、例えば図１０に示すように閾値以上のピークがＰｂ、Ｐｄ、Ｐｅの３つある場合、最も左側のピークＰｂと最も右側のピークＰｅの中心の角度をターゲットの角度とする。
【００３７】
また、図１１に示すように、最大ピークＰｂと別のピークＰｄ及びＰｆの差が大きく、その差が所定値より大きい場合、即ち、
Ｐｂ−Ｐｄ＞ΔＰ
Ｐｂ−Ｐｆ＞ΔＰ
の場合、Ｐｂの角度θｂをターゲットの角度とする。
【００３８】
なお、最大ピークＰb と別のピークＰd 又はＰf のいずれかとの受信レベルの差が所定値以下の場合、最も左側のピークＰb と最も右側のピークＰd又はＰfの角度の中心の角度をターゲットの角度とする。また、ピークが複数あって最大ピークとの受信レベルの差が所定値以下のピークが全部ではないがいくつかあった場合、最大ピーク及び前記いくつかのピークのうち、最も左側と最も右側のピークの角度の中心の角度をターゲットの角度とする。
【００３９】
〔実施例２〕
トラック等の大型車両の場合、距離が異なる複数の箇所からビームが反射されるため、反射信号に基づくビート信号の周波数に差が生じる。特に隣接レーンを走行しているトラック等の大型車両の場合、前方のミラー位置付近からの反射は測定角度が自車線寄りになるため、先行車両と誤認することがあり、車間距離制御等の車両制御に影響を及ぼすことがある。そこで本発明ではこのような場合、大型車両の後部からの反射と前方のミラーの位置付近からの反射の位置関係を利用し、それが隣接レーンを走行している大型車両であることを判定するものである。
【００４０】
図１２は、直線路において大型車両Ｂが自車Ａが走行しているレーンの隣接レーンの前方を走行している場合を示す。この図の場合、自車Ａから大型車両Ｂにビームが発射され、その１つがターゲットである車両Ｂのミラー付近の点Ｐ１から反射され、別の１つが車両Ｂの後部の点Ｐ２から反射されたとする。この場合、Ｐ１とＰ２から反射されたビームに基づくピーク周波数は異なるが、距離は近いのでほとんど同じである。そこで、上昇区間及び下降区間から、それぞれほぼ同じピーク周波数を有するピークを選択し、上昇時及び下降時のそれぞれにおける複数のピークについてペアリングを行う。そして、それぞれの点Ｐ１、Ｐ２からの距離、相対速度、及びズレの長さを検出する。検出された自車Ａの進行方向における点Ｐ１とＰ２の距離をそれぞれｒ１、ｒ２とし、自車Ａに対する点Ｐ１とＰ２の相対速度をそれぞれｖ１、ｖ２とし、自車Ａの進行方向に沿って延長された線Ｌｓに対して点Ｐ１とＰ２から下ろした垂線の長さ（以下、「ズレの長さ」と記す）をそれぞれｌ１、ｌ２とする。そして、本発明では、
（１）距離の差（ｒ１−ｒ２）が所定の範囲内、例えばトラックの長さの範囲内にあり、即ち、
ｒ１−ｒ２≦Δｒ
であり、
（２）相対速度の差（ｖ１−ｖ２）が所定の範囲、即ち、
ｖ１−ｖ２≦ΔＶ（ΔＶ≒０）
であり、
（３）垂線の長さの差（ｌ１−ｌ２）が所定の範囲、例えばトラックの幅の範囲内にある、即ち、
ｌ１−ｌ２≦Δｌ
である場合、これら２つのピークが同一のターゲットからの反射であると判断する。そして、距離が遠い方の点、例えばＰ１からの反射信号のピークからの検出データを出力せず、他方のピークのビームの角度をターゲットの位置とする。言い換えれば、距離が最も近い反射点からのピークの角度をターゲットの角度とする。このようにすることによって、制御の対象とするターゲットの位置を特定することができる。
【００４１】
一方、上記（１）−（３）の条件だけでは、車両Ｂが隣接レーンを走行している車両か自車レーンを走行している車両か不明である。そこで、
（４）ｌ１又はｌ２の値が所定の値（例えば、レーンの幅）より大きい場合、ターゲットは隣接レーンを走行していると判断する。
【００４２】
ここで、ｌ１、ｌ２及びｒ１、ｒ２の求め方について述べる。車両Ｂの点Ｐ１へのビームｂ１の自車Ａの進行方向Ｌsに対する角度をθ１、点Ｐ１までの距離をＲ１、点Ｐ２へのビームｂ２の自車Ａの進行方向Ｌsに対する角度をθ２、点Ｐ２までの距離をＲ２とすると、
ｓｉｎθ１＝ｌ１／Ｒ１、  従って、ｌ１＝Ｒ１ｓｉｎθ１
ｓｉｎθ２＝ｌ２／Ｒ２、  従って、ｌ２＝Ｒ２ｓｉｎθ２
また、
ｃｏｓθ１＝ｒ１／Ｒ１、  従って、ｒ１＝Ｒ１ｃｏｓθ１
ｃｏｓθ２＝ｒ２／Ｒ２、  従って、ｒ２＝Ｒ２ｃｏｓθ２
となる。
【００４３】
図１３は、カーブにおいて大型車両Ｂが自車Ａが走行しているレーンの隣接レーンの先方を走行している場合を示す。この図の場合も図１２の場合と同様、自車Ａから大型車両Ｂにビームが発射され、その１つがターゲットである車両Ｂのミラー付近の点Ｐ１から反射され、別の１つが車両Ｂの後部の点Ｐ２から反射されたとする。この場合、自車Ａの進行方向の延長線Ｌｓ方向における点Ｐ１とＰ２の距離をそれぞれｒ１、ｒ２とし、自車Ａに対する点Ｐ１とＰ２の相対速度をそれぞれｖ１、ｖ２とし、自車Ａの進行方向に沿って延長された線Ｌｓに対して点Ｐ１とＰ２から下ろした垂線の長さをそれぞれｌ１、ｌ２とし、Ｌｓとの交点からカーブに沿って自車が進行する線Ｌｃに至るまで延長した長さをそれぞれｘ１、ｘ２とする。そして、本発明では図１２で示した場合と同様、
（１）距離の差（ｒ１−ｒ２）が所定の範囲内にあり、即ち、
ｒ１−ｒ２≦Δｒ
であり、
（２）相対速度の差（ｖ１−ｖ２）が所定の範囲にあり、即ち、
Ｖ１−Ｖ２≦ΔＶ
であり、
（３）垂線の長さ（「ズレの長さ」）（ｌ１＋ｘ１）と（ｌ２＋ｘ２）の差が所定の範囲にある、
即ち、    ｜（ｌ１＋ｘ１）−（ｌ２＋ｘ２）｜≦ΔＬ
である場合、これら２つのピークが同一のターゲットからの反射であると判断する。そして、Ｐ２に対してＰ１がカーブの内側にあれば、Ｐ１を削って出力せず、Ｐ２のみを出力してＰ２の角度をターゲットの位置として制御の対象とする。
【００４４】
一方、上記（１）−（３）の条件だけでは、車両Ｂが隣接レーンを走行している車両か自車レーンを走行している車両か不明である。そこで、
（４）（ｌ１＋ｘ１）又は（ｌ２＋ｘ２）の値が所定の値（例えば、レーンの幅）より大きい場合、ターゲットは隣接レーンを走行していると判断する。
【００４５】
ｌ１、ｌ２及びｒ１、ｒ２の求め方については先に述べたので、ここではｘ１、ｘ２の求め方について図１４を参照して述べる。道路のカーブの曲率半径をＲとし、点Ｐ１から進行方向の延長線Ｌｓに下ろした垂線の延長が半径Ｒの円周線Ｌｃと交差する点ＰRと自車Ａを結ぶ線が線Ｌｓとがなす角をθとすると、自車Ａと点ＰRを結ぶ線の距離はほぼｒ１に等しいので、次の式が成り立つ。
【００４６】
0003744860.tif 000002
同様に、ｘ２も求めることができる。
【００４７】
図１５はトラック等の大型車両が自車の隣接レーンの前方を走行している場合を示した図である。（ａ）は直線道路を走行している場合であり、（ｂ）はカーブを走行している場合である。（ｂ）のようにカーブを走行している場合には、トラック等の場合（ａ）のように直線を走行している場合より、図に示されているようにレーンの内側に寄る傾向がある。そこで、本発明ではターゲットが大型車両等の場合、カーブにおいてはターゲットの位置がレーンの中心に来るように補正している。この補正はターゲットの位置を示す角度θを補正するものとし、自車Ａと先行車両Ｂとの距離が近いほど補正角度θを大きくする。
【００４８】
図１６はどのように補正するかを示した図であり、（ａ）はターゲットからの反射信号のピークＰの角度をΔθだけレーンの中心に補正してＰ′の位置とすることを示している。また、Δθは先行車両との距離に応じて図１６（ｂ）に示すように変化させる。即ち、距離が離れるにつれ補正角度Δθを小さくする。
【００４９】
〔実施例３〕
ターゲットが１つであっても、長さと幅を有するため、複数の異なる箇所からビームが反射されることが多い、特に大型車両の場合にはこの傾向が強くなる。図１７は自車Ａから前方の車両Ｂにビームを発射し、車両Ｂの異なる箇所Ｐa 、Ｐb 、Ｐcでビームが反射された場合を示している。このような場合、ターゲットの代表値、即ち、この車両までの距離、相対速度、車両の幅、車両の中心点である横位置等を決める必要がある。
【００５０】
本発明によれば、以下のように代表値を決めている。図１７に示されているように、同一のターゲットの異なる箇所Ｐa 、Ｐb 、Ｐcから反射されたビーム、即ちレーダ信号に基づいて生成されたピークを信号処理する。そして、これら複数のピークから得られた複数の信号からそれぞれ自車からの距離、相対速度、ターゲットの横位置、ターゲットの幅等の値を求め、求めた複数の値から代表値を求める。
【００５１】
より具体的には以下のように代表値を求める。自車からの距離に関しては、複数のレーダ信号から得られた複数の距離のうち、最小の距離を代表値として採用する。図１７で言えば、Ｐa との距離を代表値として採用する。車間距離制御を行う場合には前方車両との間隔が重要であり、最小の距離を代表値として採用することによって、正確な車間距離制御を行うことができる。
【００５２】
また、相対速度に関しては、複数のレーダ信号から得られた複数の相対速度の平均値を代表値として採用する。本来同一のターゲットから得られた相対速度は同じであるが、各相対速度には多少の誤差があるので、平均値をとることによってあまり誤差のない値とすることができる。
【００５３】
また、ターゲットの横幅、及び横位置、即ち、中心位置については以下のように代表値を求めて採用する。図１８は、図１７の車両Ｂ部分の拡大図である。ターゲットの横幅の代表値は以下のように求める。まず、左端Ｐb と右端Ｐc からのピークの角度を求める。言い換えれば、Ｐa 、Ｐb 、Ｐc から反射されたビームによってそれぞれピークができるが、これらのピークのうち両端に位置するピークの角度を求め、この角度から幅Ｗbcを求める。即ち、両端のピークの間隔からターゲットの幅を求め、これを代表値として採用する。また、ターゲットの横位置、即ち、中心位置については、前記両端のピークの間隔Ｗbcの中間点Ｐbcの角度を前方車両の幅方向の中心位置である横位置とする。
【００５４】
しかし、上記のように代表値を求めた場合、必ずしも正確な値が得られないことがある。本発明ではさらに正確に代表値を求めるため、以下のような方法を採用した。図１９はそのような場合を説明するための図である。図１９も、図１７の車両Ｂ部分の拡大図である。前方車両Ｂの中心角度、即ち幅方向の中心点を求める場合、前述の方法では、左端Ｐb と右端Ｐc の幅Ｗbcをターゲットの幅とし、その中間点Ｐbcの角度を前方車両の幅方向の中心点としていた。しかし、図１９からわかるように、より正確には、Ｐb とＰa の幅Ｗabがターゲットの幅であり、幅Ｗabの中間点Ｐabが前方車両Ｂの幅方向の中心点である。そこで本発明ではより正確な値を得るため、複数のピークが同一ターゲットからのピークであると判断された場合、最も近い反射箇所及び該箇所から所定の範囲内の箇所から反射されたビーム、即ちレーダ信号から生成されたピークを用いて代表値を決定するようにした。
【００５５】
図１９において、ビームの反射箇所がＰa 、Ｐb 、Ｐc の３箇所あるとすると、最も近い反射箇所Ｐa 及び該箇所から所定の範囲内の箇所Ｐb から反射されたビームから生成されたピークを用いて代表値を決定するようにした。ここで、所定の範囲内とは、点線ｄｌで示すように、最も近い反射箇所Ｐa から所定の距離であり、この距離は、検出対象車両の、想定される最大横幅以下とするのが良く、例えばＰa から５ｍとすることができる。また、所定の範囲として最も近い反射箇所Ｐa から最も遠い反射箇所Ｐc までの間隔Δｒp 内にある箇所から反射されたビームの内、最も近い反射箇所Ｐa から所定の割合の範囲、例えば４０％の範囲の箇所から反射されたビームにより生成されたピークを用いて代表値を決定する。
【００５６】
上記のようにして代表値を決定した場合、ターゲットである前方車両Ｂの横幅は、反射箇所Ｐa とＰb の間隔Ｗabとなり、このターゲットの中心位置はＰabとなる。また、自車と反射箇所Ｐa とＰb の中間位置Ｒabとの距離が、自車との距離として得ることもできる。上記のようにターゲットの横幅及び横位置の代表値を求めることによって、より正確な値を得ることができる。
【００５７】
なお、上記実施例においては、ビームの反射点が３箇所の場合を示したが、４ヶ所あるいは５箇所から反射される場合も同様に代表値を決定することができる。その場合、代表値決定に用いるピークの数はＰa 、Ｐb の２つではなく、３又はそれ以上となることもある。
【００５８】
〔実施例４〕
ＦＭ−ＣＷ方式レーダは三角波状の周波数変調された連続の送信波を出力してターゲットである前方の車両との距離を求めている。即ち、レーダからの送信波が前方の車両で反射され、反射波の受信信号と送信信号とのビート信号（レーダ信号）を得る。このビート信号を高速フーリエ変換して周波数分析を行う。周波数分析されたビート信号はターゲットに対してパワーが大きくなるピークが生じるが、このピークに対応する周波数をピーク周波数と呼ぶ。ピーク周波数は距離に関する情報を有し、前方車両との相対速度によるドップラ効果のために、前記三角波形状のＦＭ−ＣＷ波の上昇時と下降時とではこのピーク周波数は異なる。そして、この上昇時と下降時のピーク周波数から前方の車両との距離及び相対速度が得られる。また、前方の車両が複数存在する場合は各車両に対して一対の上昇時と下降時のピーク周波数が生じる。この上昇時と下降時の一対のピーク周波数を形成することをペアリングという。
【００５９】
トラックのような大型車両からは複数のビームが反射され、同じ車両であっても反射点までの距離は図１２、図１３に示すように異なっている。そのため、同じ反射点から反射されたビームに基づいて上昇区間及び下降区間の信号をペアリングし、各反射点毎に距離と相対速度を検出しなければならない。そこで、本発明ではどのようにペアリングを行うかを図２０を参照して説明する。図２０は、横軸がターゲットから反射した信号のピークの角度を、縦軸がピーク周波数をそれぞれ表したグラフである。
（１）まず、同一のターゲットから反射されたビームに基づいて生成された信号のうち、上昇区間及び下降区間において受信レベルが最大の信号(Ｐmax)を取り出してペアリングする。即ち、図２０（ａ）に示す上昇区間における信号のうち最大レベルの信号Ｐu-max、及び図２０（ｂ）に示すように下降区間における最大レベルの信号Ｐd-maxを取り出す。そして、Ｐu-maxとＰd-maxをペアリングする。
（２）次に、Ｐmaxからの角度と周波数の差がほぼ同じ位置にあるピーク信号を、上昇区間と下降区間からそれぞれ取り出す。例えば、上昇区間におけるＰu-maxからピークＰCへのベクトルをαとし、下降区間におけるＰd-maxからピークＰFへのベクトルをａとすると、α≒ａであればＰCとＰFは同じ点から反射されたビームに基づく信号としてペアリングを行う。
（３）ＰDとＰGについては、β≒ｂであればＰDとＰGは同じ点から反射されたビームに基づく信号としてペアリングを行う。
（４）ＰEとＰHについては、γ≠ｃであるので、この方法によるペアリングは行わず、通常のペアリング処理を行う。
【００６０】
次に、図２０で説明したペアリング処理において、より正確にペアリング処理する方法について、図２１のグラフ及び図２２のフローチャートを参照して説明する。
【００６１】
図２１において、横軸は角度であり、縦軸は周波数である。そして、（ａ）に示す上昇区間における信号のうち最大レベルの信号Pu-max、及び（ｂ）に示す下降区間における最大レベルの信号Pd-maxを取り出してペアリングする。
【００６２】
図２１において、Pu-max及びPd-maxに基づいて範囲Ｒ１とＲ１より広い範囲Ｒ２を規定し、まず上昇区間における範囲Ｒ１にピークが存在するかどうかを検索し、ピークが存在すればそのピークの周波数ｆup1と角度θup1を求め（Ｓ１）、これを図２１（ａ）に示すようにＰC としてプロットする。
【００６３】
なお、範囲Ｒ１とＲ２は適宜規定する。
【００６４】
次に下降区間の範囲Ｒ１に、ＰC とほぼ同じ角度を持ったピークが存在するかどうか判断し（Ｓ２）、存在すれば（Ｙｅｓ）そのピークＰFの周波数ｆdw1を求める。そしてｆup1とｆdw1の差が次の範囲にあるかどうか判断する（Ｓ３）。
【００６５】
ΔＦ−ｘ≦｜ｆup1−ｆdw1｜≦ΔＦ＋ｘ
上式でΔＦはPu-maxとPd-maxの周波数の差であり、ｘはあらかじめ設定した値である。この式は、ｆup1とｆdw1の差がPu-maxとPd-maxの周波数の差より大きくてよいことを意味している。即ち、範囲Ｒ１に存在するピークの場合には、ｆup1とｆdw1との差をΔＦよりも多少広く取っても正確なペアリングをすることができるためであり、上記式においてｘの値は正確なペアリングができる範囲で適宜設定する。
【００６６】
そして、上記式で示した条件が成立すれば（Ｙｅｓ）、ＰC とＰF をペアリングする（Ｓ４）。
【００６７】
次に、Ｓ２又はＳ３でＮｏの場合、上昇区間の範囲Ｒ２に範囲Ｒ１で検索されたピーク以外のピークが存在するかどうか検索し、存在すれば周波数ｆup2と角度θup2を求め（Ｓ５）、これを図２１（ａ）に示すようにＰD としてプロットする。
【００６８】
次に、下降区間の範囲Ｒ２にＰD とほぼ同じ角度を持ったピークが存在するかどうか判断し（Ｓ６）、存在すれば（Ｙｅｓ）そのピークＰG の周波数ｆdw2を求める。そしてｆup2とｆdw2の差が次の範囲にあるか判断する（Ｓ７）。
【００６９】
ΔＦ−ｙ≦｜ｆup2−ｆdw2｜≦ΔＦ＋ｙ
ｙはｘと同様にあらかじめ設定した値である。しかし、この場合は範囲Ｒ１より広い範囲Ｒ２に存在するピークを組み合わせてペアリングするので、範囲Ｒ１におけるピークを組み合わせる場合より条件を厳しくし、ｙ＜ｘとする。このようにすることにより広い範囲Ｒ２に存在するピークを組み合わせた場合でも、誤まったペアリングを避けることができる。
【００７０】
そして、上記式で示した条件が成立すれば（Ｙｅｓ）ＰD とＰG をペアリングする（Ｓ８）。
【００７１】
なお、Ｓ６又はＳ７でＮｏの場合にはペアリングを行なわずに終了する。
【００７２】
以上の実施例の説明では大型車両がターゲットである場合について説明したが、受信レベルに複数のピークが現れるのは必ずしも大型車両に限られるものではない。また、同一ターゲットの距離が異なる複数の箇所からビームが反射されるのも必ずしも大型とは限らない。従って、本発明においてターゲットは大型車両に限定されるものではない。
【００７３】
〔実施例５〕
図２３、図２４、図２５は、ペアリングして得たターゲットのデータを処理する方法を示したフローチャートである。例えば、図２２のＳ４又はＳ８においてペアリングして得たデータが連続ターゲットか、即ち前回又はそれ以前のサイクルで検出しペアリングしたターゲットであるかどうかに応じて、ペアリングして得たデータを処理する方法を示したものである。
【００７４】
図２３において、Ｓ４又はＳ８においてペアリングして得たターゲットが連続ターゲットかどうか判断する（Ｓ９）。連続ターゲットであれば（Ｙｅｓ）、距離、相対速度等のデータ更新を行う（Ｓ１０）。連続ターゲットでなければ（Ｎｏ）、距離、相対速度等のデータ更新は行なわずに終了する。
【００７５】
図２４のフローチャートにおいては、図２３のフローチャートのＳ９において、連続ターゲットでないと判定された場合（Ｎｏ）、ペアリングされたターゲットのデータを別途設けたメモリに仮保存している（Ｓ１１）。連続ターゲットであると判断されなかった場合でも、次のサイクルでこの仮保存されたデータと連続するデータが現れた場合には、新しいターゲットとして扱うことができる。本発明では、このような場合に備えてペアリングされたデータを仮保存しておくものである。
【００７６】
図２５のフローチャートのＳ９において、連続ターゲットでないと判定された場合（Ｎｏ）、今回検出されたターゲットの反射パワーが既存のターゲットの反射パワーより大きいかどうかを判定する（Ｓ１２）。その結果、今回検出されたターゲットの反射パワーが既存のターゲットの反射パワーより大きい場合、今回のターゲットのデータを既存のターゲットのデータとし（Ｓ１３）、データの更新を行う（Ｓ１０）。図２５のフローチャートに示した方法は、分散していた既存のターゲットからの反射パワーがまとまって１つになったような場合、連続ターゲットと判定されないことがあるので、このように反射パワーを比較し、既存のターゲットより反射パワーが大きい場合にはデータを更新するものである。Ｓ１２で、今回検出されたターゲットの反射パワーが既存のターゲットの反射パワーより大きくないと判定された場合（Ｎｏ）、図２４のフローチャートに示したように、このデータを別途設けたメモリに仮保存することもできる（Ｓ１１）。
【００７７】
〔実施例６〕
図２６、図２７は、上記実施例１から４に記載した本発明方法を示すフローチャートの例である。図のフローチャートにおいて、各ステップにおける制御及び判定は図１の信号処理回路３により行われる。
【００７８】
まず、Ｓ１においてほぼ同じ周波数を持ったピークのグループ化を行う。自車からの距離が同じターゲットの場合、ピーク周波数はほぼ同じとなる。例えば、大型車両の場合、距離が異なる複数の箇所からビームが反射され複数のピークが発生する。そのため、ほぼ同じピーク周波数を有したピークのグループ化を行う。
【００７９】
次に、Ｓ２において上記グループ化したピークの受信レベルが所定の値（閾値）以上であるかどうか判定する。これは大型車両の場合、検出されたピークのレベルは高くなるのでこのような判断をしている。Ｓ２においてＹｅｓであれば、上記ほぼ同一の周波数を持ったピークの検出角度が所定の範囲内にあるかどうか判定する（Ｓ３）。これは例えば、グループ化されたピークの両端のピーク間の検出角度の範囲が所定の範囲であるかどうかで判定する。Ｓ３でＹｅｓであれば、Ｓ４に進み、これらピークの受信レベルの差が所定の値（閾値）以内であるかどうか判定する。これは受信レベルの差があまりないピークをまとめるためである。Ｓ４でＹｅｓであれば、再グループ化処理を行う。即ち、同一ターゲットのピークとしてまとめる（Ｓ５）。
【００８０】
次に、再グループ化処理されまとめられたピークの受信レベルの差が小さいかどうか判定する（Ｓ６）。この場合、受信レベルの差はＳ４で設定した差より小さい値とする。ピークの受信レベルの差が小さく、ほぼ同じレベルであれば（Ｙｅｓ）、同一のターゲット、例えば大型トラックやバスの後部から複数のビームが同じ強度で反射されていると考えられるので、再グループ化処理されたピークの内、最も左側のピークの角度と最も右側のピークの角度の中心の角度をターゲットの角度とする（Ｓ７）。一方、再グループ処理されまとめられたピークの受信レベルの差が大きい場合、例えば大きなピークが１本あり、その両側に小さなピークが存在するような場合、大きなピークである最大ピークの角度をターゲットの角度とする（Ｓ８）。
【００８１】
一方、Ｓ２、Ｓ３、Ｓ４においてＮｏの場合、即ち、受信レベルが所定の値以上でなく、ほぼ同じピーク周波数を持ったピークの検出角度がある範囲内になく、又は受信レベルの差が所定の値以内でない場合、これらのピークは異なるターゲットからのピーク、あるいは同じターゲットからであっても距離の異なる部分、例えば前方ミラー部分と後部尾灯付近からのピークである可能性がある。そのため、これらのピークは再グループ処理せずＳ９に進む。
【００８２】
次にＳ９において、再グループ化された複数のピーク、又はＳ１においてグループ化された複数のピークについて、上昇時と下降時のピーク周波数をペアリングし、Ｓ１０において複数のビームを反射したターゲットの各部分までの距離、相対速度、検出角度、及び自車が走行しているレーンから横方向へのズレの長さをそれぞれ求める。ペアリングは例えば、上記〔実施例４〕で説明したように行う。また、上記ズレの長さは上記〔実施例２〕において説明したように求める。そして、Ｓ１１において、ターゲットのデータの連続性を保つために過去のデータの引継ぎ処理を行う。
【００８３】
次にＳ１２において、各部について求めた距離、相対速度、及び自車が走行しているレーンから横方向へのズレの長さの差が所定の値（閾値：Δｒ、Δｖ、Δｌ）以下であるかどうかを判定する。Ｓ１２において各ピークに基づいて求めたターゲットの各部の距離、相対速度、角度、及びレーンから横方向へのズレの差が所定の値の範囲内にあれば（Ｙｅｓ）、これらのピークは同じターゲットのピークであると考えられるので、大型車両であるとの判定カウントを行う。即ち、＋１をカウントする（Ｓ１３）。このカウントは各フロー毎に行われる。そして、Ｓ１４において上記大型車両判定カウント数が所定値以上であるかどうか判定される。これは、Ｓ１２において大型車両と判定される要件を、大型車両でないにもかかわらず、例えば並行して前方を走行している２台の車両からの複数のピークがたまたま上記要件を満たしている場合が考えられ、１回の判定で必ずしも大型車両とは判定できないためである。Ｓ１４でカウント数が所定値以上である場合（Ｙｅｓ）、大型車両であると判定される（Ｓ１５）。しかし、カウント値が所定値以上になっていない場合（Ｎｏ）フローは終了し、次回のフローに進む。
【００８４】
次に、大型車両と判定された複数のピークのうち、車両の前部等の距離が遠い部分、例えばミラー位置付近から反射されたビームに基づくピークから求めた距離や相対速度の出力は除く（Ｓ１６）。言い換えれば、距離の最も近い反射点からのピークの角度をターゲットの角度とする。そして、車両の後部から反射されたビームに基づくピークから求めたターゲットの位置を制御対象位置とする。しかし、ターゲットの位置が隣接レーンであると判断された場合、この大型車両の検出角度を、図１６に示すように外側に来るように補正し（Ｓ１７）、フローを終了する。なお、ターゲットが隣接レーンのものかどうかは、〔実施例２〕で説明した方法によって判定できる。
【００８５】
一方、Ｓ１２においてＮｏの場合、即ち、各ピークに基づいて求めたターゲットの各部の距離、相対速度、角度、及びレーンから横方向へのズレの差が所定の値の範囲内になく、それぞれの距離や相対速度等の差が所定の値を超えていた場合、Ｓ１８に進む。そして、前記所定の範囲（閾値）を広げて別の閾値（Δｒ′、Δｖ′、Δｌ′）で再度判定を行う。Ｓ１８において判定の結果、再度要件を満たさない場合（Ｎｏ）、大型車両判定カウンタを−１とする（Ｓ１９）。次に大型車両判定カウンタが０かどうか判定し（Ｓ２０）、Ｙｅｓであれば大型車両判定を解除する（Ｓ２１）。なお、Ｓ１８において要件を満たす場合（Ｙｅｓ）、及びＳ２０においてカウンタが０でない場合（Ｎｏ）は、大型車両判定を解除せずにこの回のフローを終了する。
【００８６】
図２８は、実施例３に記載した本発明方法を示すフローチャートの例である。図２８のフローチャートは、図２７のフローチャートのステップＳ１３−Ｓ１７をステップＳ３０−Ｓ３４に置き換えたものである。
【００８７】
図２８のＳ３０において、複数のピークが同じターゲットからのピークであると判定された場合、即ち、図２７のフローチャートのＳ１２においてＹｅｓと判断された場合、本発明によればこれら複数のピークのそれぞれから得られた距離のうち最小の距離を代表値として採用する（Ｓ３１）。次に、複数のピークのそれぞれから得られた相対速度の平均値を求め、これを代表値として採用する（Ｓ３２）。また、ターゲットの幅に関しては、複数のピークの内両端に現れたピークの角度を求め、その角度からターゲットの両端の間隔を求め、これをターゲットの幅の代表値として採用する（Ｓ３３）。さらに、両端のピークの角度から中間点の角度を求め、横位置の代表値として採用する（Ｓ３４）。
【００８８】
図２９も、実施例３に記載した本発明方法を示すフローチャートの例である。図２９のフローチャートは、図２８のフローチャートのステップＳ３３、Ｓ３４の変形である。
【００８９】
図２９のＳ３０、Ｓ３１、Ｓ３２は図２８と同じであり、最小の距離と相対速度の平均値を代表値として採用している。一方、Ｓ４０において、複数のピークのうち、最も近い反射箇所及び該箇所から所定の範囲内の箇所から反射されたビームによるピークのみを選択する（Ｓ４０）。そして、選択されたピークのうち、両端に現れたピークの角度を求め、その角度からターゲットの両端の間隔を求めてターゲットの幅の代表値として採用する（Ｓ４１）。
【００９０】
【発明の効果】
本発明によれば、反射信号によるピークが複数発生した場合でも、ターゲットのほぼ中心位置を特定することができる。また、同一のターゲットの距離の異なる箇所から複数のビームが反射されたとしても、同一のターゲットであるかどうか識別できるので、ターゲットの数を誤認することなく車両制御することができる。また、そのターゲットが自車レーンを走行しているか、または隣接レーンを走行しているかが識別できる。
【００９１】
また、同一ターゲットから反射されるビームによるピークが複数ある場合でも、これらのピークから距離、相対速度、横幅、横位置の代表値を決定し、的確な制御を行うことができる。
【００９２】
さらに、同一のターゲットの距離の異なる箇所から反射したビームによる信号をペアリングする場合、効率よく正確に行うことができる。また、ペアリングして得られたターゲットのデータを有効に処理することができる。
【００９３】
その他、上記実施例に記載された効果を奏する。
【図面の簡単な説明】
【図１】本発明の方法に用いる車間距離制御装置の構成の概要を示した図である。
【図２】図１の信号処理回路３の構成を示したものである。
【図３】ターゲットとの相対速度が０の場合のＦＭ−ＣＷレーダの原理を説明するための図である。
【図４】ターゲットとの相対速度がｖの場合のＦＭ−ＣＷレーダの原理を説明するための図である。
【図５】ＦＭ−ＣＷレーダの構成の例を示した図である。
【図６】先行車両が大型車両である場合のビームの発射状況を示した図である。
【図７】大型車両から反射されたビームによるピークのレベルを示したものである。
【図８】大型車両から反射されたビームによるピークを特定の角度範囲でまとめる場合の例を示した図である。
【図９】特定の角度範囲をどのように決定するかを説明するための図である。
【図１０】ピークが３つ以上ある場合にターゲットの角度をどのように決めるかを説明するための図である。
【図１１】最大ピークと別のピークの差が大きい場合にターゲットの角度をどのように決めるかを説明するための図である。
【図１２】直線路において大型車両が隣接レーンを走行している場合を示す。
【図１３】カーブにおいて大型車両が隣接レーンを走行している場合を示す。
【図１４】カーブにおいて隣接レーンを走行する車両が自車線のセンターラインから横方向にどの程度ズレているか計算するための図である。
【図１５】大型車両が隣接レーンの前方を走行している場合を示した図である。
【図１６】隣接レーンを走行する車両の位置をどのように補正するかを示した図である。
【図１７】自車Ａから前方の車両Ｂにビームを発射し、車両Ｂの異なる箇所でビームが反射された場合を示した図である。
【図１８】図１７の車両Ｂ部分の拡大図である。
【図１９】図１７の車両Ｂ部分の拡大図である。
【図２０】本発明によるペアリングの方法を説明するための図である。
【図２１】本発明によるペアリングの方法を説明するための図である。
【図２２】本発明によるペアリングの方法を示すフローチャートである。
【図２３】本発明による、ペアリングして得たターゲットのデータを処理する方法を示すフローチャートである。
【図２４】本発明による、ペアリングして得たターゲットのデータを処理する方法を示すフローチャートである。
【図２５】本発明による、ペアリングして得たターゲットのデータを処理する方法を示すフローチャートである。
【図２６】本発明の実施例を示すフローチャートである。
【図２７】本発明の実施例を示すフローチャートである。
【図２８】本発明による代表値決定の方法を示すフローチャートである。
【図２９】本発明による代表値決定の方法を示すフローチャートである。
【符号の説明】
１…レーダアンテナ
２…走査機構
３…信号処理回路
４…ステアリングセンサ
５…ヨーレートセンサ
６…車速センサ
７…車間距離制御ＥＣＵ
８…警報機
９…ブレーキ
１０…スロットル
１１…走査角制御部
１２…レーダ信号処理部
１３…制御対象認識部
２１…変調信号発生器
２２…電圧制御発振器
２３…周波数変換器
２４…ベースバンドフィルタ
２５…Ａ／Ｄ変換器
２６…ＣＰＵ
Ａ…自車
Ｂ…先行車両
【図１】
0003744860.tif 000003
【図２】
0003744860.tif 000004
【図３】
0003744860.tif 000005
【図４】
0003744860.tif 000006
【図５】
0003744860.tif 000007
【図６】
0003744860.tif 000008
【図７】
0003744860.tif 000009
【図８】
0003744860.tif 000010
【図９】
0003744860.tif 000011
【図１０】
0003744860.tif 000012
【図１１】
0003744860.tif 000013
【図１２】
0003744860.tif 000014
【図１３】
0003744860.tif 000015
【図１４】
0003744860.tif 000016
【図１５】
0003744860.tif 000017
【図１６】
0003744860.tif 000018
【図１７】
0003744860.tif 000019
【図１８】
0003744860.tif 000020
【図１９】
0003744860.tif 000021
【図２０】
0003744860.tif 000022
【図２１】
0003744860.tif 000023
【図２２】
0003744860.tif 000024
【図２３】
0003744860.tif 000025
【図２４】
0003744860.tif 000026
【図２５】
0003744860.tif 000027
【図２６】
0003744860.tif 000028
【図２７】
0003744860.tif 000029
【図２８】
0003744860.tif 000030
【図２９】
0003744860.tif 000031